(57)【要約】【課題】柔らかい接触感の液塗布具を提案する。【解決手段】ブラシ毛材４を、塗布液の粘性に負けずに起立できる剛性を有する太さの糸４Ａで構成したことにより、皮膚に対する接触感が柔らかい液塗布具１を実現できる。【選択図】図１
2009201893.tif 000002
【特許請求の範囲】
【請求項１】
シャフトから外方にブラシ毛材を突出させてなるブラシ本体を有する液塗布具において、
上記ブラシ毛材は、塗布液の粘性に負けずに起立できる可能性を有する太さの糸で構成されている
ことを特徴とする液塗布具。
【請求項２】
上記糸の太さを、０．０１〜０．０６〔ｍｍ〕に選定した
ことを特徴とする請求項１に記載の液塗布具。
【発明の詳細な説明】
【技術分野】
【０００１】
本発明は液塗布具に関し、特に液を塗布する際における皮膚への接触感をできるだけ柔らかくなるようにしようとするものである。
【背景技術】
【０００２】
従来液塗布具、例えばマスカラブラシとして、塗布液をブラシに付着させてまつ毛に塗布するものが用いられている（特許文献１参照）。
【０００３】
このマスカラブラシとしての液塗布具Ｒ１は、図４に示すように、塗布液容器Ｒ２の取出口Ｒ３から、キャップＲ４に固着されたシャフトＲ５の先端に設けられたブラシ本体Ｒ６を出し入れすることにより、ブラシ本体Ｒ６を塗布液としてのマスカラに浸して外部に取り出すようになされている。
【０００４】
取出口Ｒ３の内側には、柔軟性を持ったゴム材でなる円環状のしごき部材Ｒ７が設けられ、ブラシ本体Ｒ６を取出口Ｒ３から引き抜くとき、ブラシ本体Ｒ６の周囲に付着している余分な塗布液を小さい内径を有するしごき部材Ｒ７によってしごき落とすことにより、外部に取り出したブラシ本体Ｒ６や、シャフトＲ５から塗布液をぼた落ちさせないように構成されている。
【特許文献１】特開平５−２２８０１８号公報
【発明の開示】
【発明が解決しようとする課題】
【０００５】
図４の構成によれば、しごき部材Ｒ７としてブラシ本体Ｒ６を塗布液容器Ｒ２から引き抜いたとき、シャフトＲ５に植毛されたブラシ毛材Ｒ６Ａがしごき部材Ｒ７によって引き抜き方向と逆方向に押し付けられることにより、その方向に一斉に倒れるような動作をし、これによりブラシ本体Ｒ６の周囲に付着した余分な塗布液がしごき落とされるので、塗布液のぼた落ちを防止することができる。
【０００６】
このように、ブラシ毛材Ｒ６Ａは、それ自体一定の剛性をもっているので、しごき部材Ｒ７を通るとき一端一斉に倒れるが、しごき部材Ｒ７を通過した後は、その復元力によって起立するので、塗布液は当該起立したブラシ毛材Ｒ６Ａの表面に付着したまま残る。
【０００７】
ところが従来はブラシ毛材６Ａの各糸を起立状態に復元させると共に復元した各糸に適度な塗布液を残すためには、かなりの太さの糸を用いる必要があると考えられており、従って例えばまつ毛の根元に塗布液を塗布しようとする場合には、各糸がまつ毛の周囲の皮膚に接触した際に無用な刺激を与えるおそれがある。
【０００８】
このようなマスカラブラシ以外に、リップブラシ、アイシャドウブラシ、アイブロウブラシなどのように、皮膚に直接塗布液を塗布する場合には、無用な刺激を与えないようにすることが望ましい。
【０００９】
特にまつ毛に対して濃いマスカラを塗布するためには、ブラシ毛材Ｒ６Ａによってまつ毛に塗布したマスカラを乾かしながら繰り返し塗布操作をする必要があるため、ブラシ毛材Ｒ６Ａから皮膚に与えられる刺激はできるだけ柔らかくすることが望ましい。
【００１０】
このようなマスカラブラシ以外に、リップブラシ、アイシャドウブラシ、アイブロウブラシなどのように、皮膚に直接塗布液を塗布する場合には、無用な刺激を与えないようにすることが望ましい。
【００１１】
本発明は以上の点を考慮してなされたもので、皮膚に対する刺激ができるだけ柔らかくなるような液塗布具を提案しようとするものである。
【課題を解決するための手段】
【００１２】
かかる課題を解決するため本発明においては、シャフト３から外方にブラシ毛材４を突出させてなるブラシ本体５を有する液塗布具１において、ブラシ毛材４は、塗布液の粘性に負けずに起立できる特性を有する太さの糸で構成されている。
【発明の効果】
【００１３】
本発明によれば、ブラシ毛材を、塗布液の粘性に負けずに起立できる剛性を有する太さの糸で構成したことにより、皮膚に対する接触感が柔らかい液塗布具を実現できる。
【発明を実施するための最良の形態】
【００１４】
以下図面について、本願発明の一実施の形態を詳述する。
【００１５】
（１）第１の実施の形態
図１において、１は全体として液塗布具を示し、図４のキャップＲ４に差し込み保持される円筒状の支持部２を閉塞する先端部材２Ａにシャフト３が突出保持されている。
【００１６】
シャフト３には多数の糸４Ａで構成されたブラシ毛材４が放射方向に外方に延長するように植毛され、これによりブラシ本体５が構成されている。
【００１７】
実際上シャフト３は、図２に示すように、１本の線材を折り返してなる２本の線材１１Ａ及び１１Ｂ間に、矢印ａで示す長さ方向に、ブラシ毛材４を構成する多数の糸４Ａを配列させた状態でより合わせることにより、線材１１Ａ及び１１Ｂの接触面でなるら旋状保持面１２によって当該糸４Ａを挟着保持することにより、シャフト３から放射方向に外方にブラシ毛材４の糸４Ａを延長させるような構成を形成している。
【００１８】
かくしてブラシ毛材４は、ら旋状保持面１２に沿う方向に糸４Ａを整列させた構成を有する。
【００１９】
ブラシ毛材４の糸４Ａの太さは、０．０１〜０．０６〔ｍｍ〕、望ましくは０．０２５〔ｍｍ〕（１．０〔ｍｉｌ〕）〜０．０４５〔ｍｍ〕（１．８〔ｍｉｌ〕）に選定されている。
【００２０】
このブラシ毛材４の糸４Ａの太さの下限値０．０１〔ｍｍ〕は、ブラシ本体５を塗布液容器Ｒ２(図４)から引き出したとき、ブラシ毛材４を形成する各糸４Ａが塗布液の粘性に負けずに起立できるような剛性をもつ太さに選定されている。
【００２１】
これに対してブラシ毛材４の糸４Ａの太さの上限値０．０６〔ｍｍ〕は、ブラシ本体５によってまつ毛の根元に塗布液を塗布する際に、ブラシ毛材４の糸４Ａが皮膚に触れたときの刺激が柔かい接触感が得られる限界値として選定されている。
【００２２】
またブラシ本体５のブラシ毛材４として使用される糸４Ａの本数は、ブラシ本体５の長さ方向ａ（図２）について、１．０〔ｍｍ〕ごとに、最少使用本数４０〔本〕であり〜最大使用本数１０００〔本〕に選定される。
【００２３】
例えばブラシ本体５の全長が２３．０〔ｍｍ〕である場合、当該ブラシ毛材４の糸４Ａの本数は、４０〔本〕×２３〔ｍｍ〕＝９２０〔本〕〜１０００〔本〕×２３〔ｍｍ〕＝２３０００〔本〕程度に選定される。
【００２４】
以上の構成の液塗布具１において、ブラシ本体５を塗布液容器Ｒ２（図４）から引き抜いたとき、ブラシ毛材４を形成する各糸４Ａは、ブラシ毛材４がしごき部材Ｒ７を通ったとき一旦倒れるが、塗布液の粘性に負けずに起立状態に戻ることにより、当該ブラシ毛材４の各糸４Ａに付着した塗布液を用いてまつ毛の根元部分を塗布できる。
【００２５】
かくするにつき、ブラシ毛材４の糸４Ａの太さを細くしたことにより単位長さ当りの糸４Ａの本数を従来のマスカラブラシに比べて格段に増やすことができ、これにより塗布液のしごき後のブラシ内保持量を大きくすることで、多量塗布や何回かの重ね塗りが塗布液容器Ｒ２からの１回の取出し操作をしただけで十分足りることになったのである。
【００２６】
因に、従来のマスカラブラシの場合と比較して、５〜１０倍程度にまで塗布液の保持量を増大させることができたのである。
【００２７】
これに加えてまつ毛の根元に塗布液を塗布する際に、ブラシ毛材４の糸４Ａが目の周りの皮膚に触れたとしても、当該ブラシ毛材４の糸４Ａの太さを細くしたことにより、皮膚に対して柔らかく接触することができるので、たとえ何回も塗布操作をしたとしても、皮膚に対する負担を大きくしないようにできる。
【００２８】
また単位長さ当りの糸４Ａの本数を増やしたことにより、皮膚に対する塗布液の量が多くなり過ぎたとき、ブラシ毛材４が柔らかく皮膚に接触する利点を利用して、余分に塗り過ぎた部分にブラシ毛材４を拭くように接触させることにより、当該余分な塗布液を除去することができる。
【００２９】
（２）第２の実施の形態
図３は第２の実施の形態を示すもので、本発明による液塗布具は、塗布液としてマスカラをまつ毛に塗布するように用いる場合とは別に、本発明をリップブラシ、アイシャドウブラシ、アイブロウブラシ等のように、塗布液を直接に皮膚に塗布するような液塗布具１Ｘに適用し得る。
【００３０】
この場合、シャフト３Ｘは全体が断面円形の合成樹脂材料でなり、その先端に先端方向に突出する多数の糸２１Ａの束でなるブラシ毛材２１を形成し、これによりブラシ本体５Ｘを構成している。
【００３１】
ブラシ毛材２１の先端面の形状は、皮膚に対する塗布液の塗布形状に適合するように選定され、図３（Ａ）の場合は、ブラシ毛材２１の糸２１Ａを円柱状に束ねた外観形状をもつと共に、先端面２２が円形状を有する。
【００３２】
これにより、図３（Ａ）のブラシ本体５Ｘを有する液塗布具は、ブラシ毛材２１の先端面２２を皮膚に接触させて横方向に移動することにより、皮膚の比較的広い部位に塗布液を塗布することができる。
【００３３】
図３（Ｂ）の場合は、ブラシ毛材２１の糸２１Ａを偏平横長に束ねた外観形状をもつと共に、先端面２２が横長方向に傾斜した長楕円形状を有する。
【００３４】
これにより、図３（Ｂ）のブラシ本体５Ｘを有する液塗布具は、ブラシ毛材２１の先端面２２を皮膚に接触させて横長の方向に移動することにより、皮膚の比較的狭い部位に線状に塗布液を塗布することができる。
【００３５】
図３（Ｃ）の場合は、ブラシ毛材２１の糸２１Ａを円柱状に束ねた外観形状をもつと共に、先端面２２が円錐形状を有する。
【００３６】
これにより、図３（Ｃ）のブラシ本体５Ｘを有する液塗布具は、ブラシ毛材２１の先端面２２の突出部分を皮膚に接触させて横方向に移動することにより、皮膚の極く細い部位に塗布液を塗布することができる。
【００３７】
図３（Ｄ）の場合は、ブラシ毛材２１の糸２１Ａを偏平横長に束ねた外観形状をもつと共に、先端面２２が長手方向に向って２等辺形状に突出した帯形状を有する。
【００３８】
これにより、図３（Ｄ）のブラシ本体５Ｘを有する液塗布具は、ブラシ毛材２１の先端面２２の突出部分を皮膚に接触させて幅方向に移動することにより、皮膚の比較的狭い部位に線状に塗布液を塗布することができる。
【００３９】
ブラシ毛材４の糸４Ａの太さは、０．０１〜０．０６〔ｍｍ〕、望ましくは０．０２５〔ｍｍ〕（１．０〔ｍｉｌ〕）〜０．０４５〔ｍｍ〕（１．８〔ｍｉｌ〕）に選定されている。
【００４０】
このブラシ毛材４の糸４Ａの太さの下限値０．０１〔ｍｍ〕は、ブラシ本体５を塗布液容器Ｒ２（図４）から引き出したとき、ブラシ毛材４を形成する各糸４Ａが塗布液の粘性に負ずに起立できるような剛性をもつ太さに選定されている。
【００４１】
これに対してブラシ毛材４の糸４Ａの太さの最上限値０．０６〔ｍｍ〕は、ブラシ本体５によってまつ毛の根元に塗布液を塗布する際に、ブラシ毛材４の糸４Ａが皮膚に触れたときの刺激が柔かい接触感が得られる限界値として選定されている。
【００４２】
図３（Ａ）〜（Ｄ）の構成の液塗布具１Ｘにおいて、ブラシ本体５Ｘを塗布液容器Ｒ２（図４）から引き抜いたとき、ブラシ毛材２１を形成する各糸２１Ａは、ブラシ毛材２１がしごき部材Ｒ７を通ったとき一旦倒れるが、塗布液の粘性に負けずに起立状態に戻ることにより、当該ブラシ毛材２１の各糸２１Ａに付着した塗布液を用いて皮膚の液塗布部分を塗布できる。
【００４３】
かくするにつき、ブラシ毛材４の糸４Ａの太さを細くしたことにより単位長さ当りの糸４Ａの本数を増やすことができ、これにより塗布液の保持量を大きくすることができる。
【００４４】
これに加えて当該ブラシ毛材４の糸４Ａの太さを細くしたことにより、皮膚に対して柔らかく接触することができるので、たとえ何回も塗布操作をしたとしても、皮膚に対する負担を大きくしないようにできる。
【００４５】
また、単位長さ当りの糸４Ａの本数を増やしたことにより、皮膚に対する塗布液の量が多くなり過ぎたとき、ブラシ毛材４が柔らかく皮膚に接触する利点を利用して、余分に塗り過ぎた部分にブラシ毛材４を拭くように接触させることにより、当該余分な塗布液を除去することができる。
【００４６】
かくして図３（Ａ）〜（Ｄ）の構成によれば、ブラシ毛材２１が塗布液の粘性に負けないで起立できる剛性をもちながら皮膚に接触するときに柔らかい感触を与える太さに選定されていることにより、塗布すべき皮膚の部位に適した形状に先端面２２の形状を成形することにより、塗布液の皮膚に対する塗布感が適正な液塗布具を実現でき、これにより使いやすいリップブラシ、アイシャドウブラシ、アイブロウブラシを提供できる。
【産業上の利用可能性】
【００４７】
本発明はブラシ型の液塗布具に適用できる。
【図面の簡単な説明】
【００４８】
【図１】本発明による液塗布具の第１の実施の形態を示す斜視図である。
【図２】図１のブラシ本体の縦断面構造を示す略線的縦断面図である。
【図３】本発明の第２の実施の形態を示す側面図及び端面図である。
【図４】液塗布具の基本構成を示す斜視図である。
【符号の説明】
【００４９】
１、１Ｘ……液塗布具、２……支持部、２A……先端部材、３、３Ｘ……シャフト、４、２１……ブラシ毛材、４Ａ、２１Ａ……糸、５、５Ｘ……ブラシ本体、１１A、１１B……線材、１２……ら旋状保持面、２２……先端面、Ｒ１……液塗布具、Ｒ２……塗布液容器、Ｒ３……取出口、Ｒ４……キャップ、Ｒ５……シャフト、Ｒ６……ブラシ本体、Ｒ６Ａ……ブラシ毛財、Ｒ７……しごき部材。
【図１】
2009201893.tif 000003
【図２】
2009201893.tif 000004
【図３】
2009201893.tif 000005
【図４】
2009201893.tif 000006